(57)【要約】【課題】ＵＳＢ対応機器であるか非対応機器であるかを、装置自身が判定できる音声記録再生装置を提供する。【解決手段】音声記録再生装置は、マイクロコンピュータ６の制御に基づき、デジタル化された音声データを圧縮した後不揮発性メモリ９に記録し、また不揮発性メモリ９に記録された音声データを伸張して再生する。マイクロコンピュータ６の制御手段１２は、マイクロコンピュータ６に内蔵されたプルアップ抵抗器７が、入力回路８の入力側に接続された時の入力回路８の入力端子の電圧値を検出し、この電圧値により、ＵＳＢ対応機器であるかＵＳＢ非対応機器であるかを判定する。【選択図】図１
2007241801.tif 000002
【特許請求の範囲】
【請求項１】
デジタル化された音声データの圧縮および、圧縮された音声データの伸張を行う音声圧縮・伸張手段と、
前記音声圧縮・伸張手段で圧縮された音声データを記録する不揮発性メモリと、
制御手段、入力回路およびプルアップ抵抗器を内蔵したマイクロコンピュータとを少なくとも備え、
前記マイクロコンピュータの制御手段は、
（ａ）圧縮された音声データの前記不揮発性メモリへの書き込みおよび、前記不揮発性メモリからの音声データの読み出し、ならびに前記入力回路と前記プルアップ抵抗器の接続および接続の解除を制御し、かつ、
（ｂ）前記プルアップ抵抗器を前記入力回路の入力側に接続した時の前記入力回路の入力端子の電圧値を検出し、この電圧値により、自身がＵＳＢ対応機器であるかＵＳＢ非対応機器であるかを判定する
ことを特徴とする音声記録再生装置。
【請求項２】
ＵＳＢ対応機器である場合は、前記入力回路の入力端子はＵＳＢコネクタのバス端子に抵抗器を介して接続され、ＵＳＢ非対応機器である場合は、前記入力回路の入力端子は抵抗器を介してグランドに接続されることを特徴とする請求項１に記載の音声記録再生装置。
【請求項３】
前記制御手段は、視覚的手段もしくは聴覚的手段を用いて、ＵＳＢ対応機器であるか否かの判定結果を外部に通知することを特徴とする請求項１または２に記載の音声記録再生装置。
【請求項４】
マイクロコンピュータの制御に基づき、デジタル化された音声データを圧縮した後不揮発性メモリに記録し、また前記不揮発性メモリに記録された音声データを伸張して再生する音声記録再生装置におけるＵＳＢ対応判定方法であって、
前記マイクロコンピュータに内蔵されたプルアップ抵抗器を、同様に内蔵された入力回路の入力側に接続した時の前記入力回路の入力端子の電圧値により、前記音声記録再生装置がＵＳＢ対応機器であるかＵＳＢ非対応機器であるかを判定することを特徴とする音声記録再生装置におけるＵＳＢ対応判定方法。
【請求項５】
ＵＳＢ対応機器である場合は、前記入力回路の入力端子はＵＳＢコネクタのバス端子に抵抗器を介して接続され、ＵＳＢ非対応機器である場合は、前記入力回路の入力端子は抵抗器を介してグランドに接続されることを特徴とする請求項４に記載の音声記録再生装置におけるＵＳＢ対応判定方法。
【請求項６】
視覚的手段もしくは聴覚的手段を用いて、ＵＳＢ対応機器か否かの判定結果を外部に通知することを特徴とする請求項４または５に記載の音声記録再生装置におけるＵＳＢ対応判定方法。
【発明の詳細な説明】
【技術分野】
【０００１】
本発明は、音声データをフラッシュメモリなどに記録する音声記録再生装置に関し、更に詳しくは、ＵＳＢ対応機器であるか否かを装置自身が自己判定できる音声記録再生装置およびその判定方法に関するものである。
【背景技術】
【０００２】
マイクから入力した音声をデータ圧縮した後、フラッシュメモリなどの不揮発性メモリに記録し、必要に応じて音声データを不揮発性メモリから読み出し、データ伸張してスピーカ等で音声を再生する音声記録再生装置が、広く使われるようになってきた。
【０００３】
この音声記録再生装置には、ユニバーサル・シリアル・バス（以下、ＵＳＢという）に対応した機器と非対応の機器がある。
【０００４】
一般に、音声記録再生装置はマイクロコンピュータを内蔵しており、ＲＯＭ（Read only Memory）に格納されたソフトウェアによって各部の制御を行い、音声データの記録・再生などの各機能を発揮しているが、ＵＳＢ対応機器であるか否かによって機能が若干異なっている。すなわちＵＳＢ対応機器の場合はＵＳＢコネクタを内蔵しており、他のＵＳＢ対応機器と接続してデータを送受信し、ＵＳＢ規格に準拠した処理がなされる。このため、製造工程において、ＵＳＢ対応機器であるか非対応機器であるかを判定し、ＵＳＢ対応機器については、ＵＳＢ規格に準拠したデータの送受信が可能かどうか確認する必要がある。
【０００５】
このように、ＵＳＢ対応機器であるか否かによって製造工程における検査の内容を変える必要がある。しかしその一方で、ＵＳＢ対応機器とＵＳＢ非対応機器は、ほとんど同じ回路構成であり、外観上もあまり差がない。このため、ＵＳＢ対応機器と非対応機器が混在して生産される生産現場において、作業者が目視によってこれらの機器を区別することが難しい場合があり、生産性を低下させる原因となっている。
【０００６】
ＵＳＢ対応機器であるか否かを判定する従来の方法として、特許文献１に記載された方法がある。この方法では、機器がＵＳＢケーブルを介してホストと接続されたことを前提として、ホストは、ＵＳＢコネクタの差分信号ラインＤ＋に接続されたプルアップ抵抗器がＵＳＢ規格にて規定された電圧値にプルアップされているかを判断して、接続の検出を行っている。
【特許文献１】特開２０００−１６３３５８号公報
【発明の開示】
【発明が解決しようとする課題】
【０００７】
しかしながら、特許文献１に記載の方法は、機器がＵＳＢケーブルを介してホストと接続されていることを前提としており、ＵＳＢ対応機器とＵＳＢ非対応機器が混在する生産現場において、ＵＳＢ対応機器であるか否かを正確に、かつ短時間で判定する方法としては有効ではないという問題点を有していた。
【０００８】
本発明は上記問題点を解決するもので、装置自身がＵＳＢ対応機器であるかＵＳＢ非対応機器であるかを判定し、更に、その結果を視覚的手段や聴覚的手段を用いて作業者に的確に伝えることができる音声記録再生装置を提供することを目的とする。
【課題を解決するための手段】
【０００９】
上記目的を達成するために本発明の音声記録再生装置は、
デジタル化された音声データの圧縮および、圧縮された音声データの伸張を行う音声圧縮・伸張手段と、
前記音声圧縮・伸張手段で圧縮された音声データを記録する不揮発性メモリと、
制御手段、入力回路およびプルアップ抵抗器を内蔵したマイクロコンピュータとを少なくとも備え、
前記マイクロコンピュータの制御手段は、
（ａ）圧縮された音声データの前記不揮発性メモリへの書き込みおよび、前記不揮発性メモリからの音声データの読み出し、ならびに前記入力回路と前記プルアップ抵抗器の接続および接続の解除を制御し、かつ、
（ｂ）前記プルアップ抵抗器を前記入力回路の入力側に接続した時の前記入力回路の入力端子の電圧値を検出し、この電圧値により、自身がＵＳＢ対応機器であるかＵＳＢ非対応機器であるかを判定することを特徴とする。
【００１０】
本発明の音声記録再生装置において、ＵＳＢ対応機器である場合は、前記入力回路の入力端子はＵＳＢコネクタのバス端子に抵抗器を介して接続され、ＵＳＢ非対応機器である場合は、前記入力回路の入力端子は抵抗器を介してグランドに接続されることが好ましい。
【００１１】
同様に、前記制御手段は、視覚的手段もしくは聴覚的手段を用いて、ＵＳＢ対応機器であるか否かの判定結果を外部に通知することが好ましい。
【００１２】
また本発明のＵＳＢ対応判定方法は、
マイクロコンピュータの制御に基づき、デジタル化された音声データを圧縮した後不揮発性メモリに記録し、また前記不揮発性メモリに記録された音声データを伸張して再生する音声記録再生装置におけるＵＳＢ対応判定方法であって、
前記マイクロコンピュータに内蔵されたプルアップ抵抗器を、同様に内蔵された入力回路の入力側に接続した時の前記入力回路の入力端子の電圧値により、前記音声記録再生装置がＵＳＢ対応機器であるかＵＳＢ非対応機器であるかを判定することを特徴とする。
【発明の効果】
【００１３】
本発明によれば、ソフトウェアのリセットスタート時に、マイクロコンピュータ内の入力回路の入力端子に、内蔵されているプルアップ抵抗器を接続し、入力端子の電圧値を監視することにより、音声記録再生装置自身がＵＳＢ対応機器であるか、あるいはＵＳＢ非対応機器であるかを自動的に判別することができる。
【００１４】
またその結果を作業者に的確に通知し、ＵＳＢ対応機器については、引き続いてホストと接続してＵＳＢ規格に準拠したデータ送受信の検査を行うことができるため、音声記録再生装置を製造する際の生産性を向上させることが可能となる。
【発明を実施するための最良の形態】
【００１５】
以下、本発明の実施の形態について、図面を参照して説明する。図１は、本発明の実施の形態におけるＵＳＢ対応の音声記録再生装置の構成を示すブロック図、図２は同じくＵＳＢ非対応の音声記録再生装置の構成を示すブロック図、図３は本実施の形態におけるＵＳＢ対応判定の処理を示すフローチャート、図４は音声記録再生装置の検査工程におけるメイン処理のフローチャートである。
【００１６】
図１はＵＳＢコネクタを備えたＵＳＢ対応の音声記録再生装置の構成を示し、図２はＵＳＢコネクタを持たないＵＳＢ非対応の音声記録再生装置の構成を示す。図１と図２の音声記録再生装置において、それぞれのマイクロコンピュータのソフトウエアは同一であるが、ＵＳＢ規格に準拠したデータの送受信については、ＵＳＢ対応機器だけが機能を発揮できる。
【００１７】
図１のＵＳＢ対応の音声記録再生装置において、ＵＳＢコネクタ１はＶｂｕｓ信号ラインと差分信号ラインＤ＋、Ｄ−とＧＮＤ信号ラインを有し、ＵＳＢケーブルを介してＵＳＢホスト側と接続される。ＵＳＢ制御回路２は、ＵＳＢの信号ラインを検出して、マイクロコンピュータ６との間のデータ送受信等を制御する。レギュレータ３はＵＳＢコネクタ１に供給されるＶｂｕｓ信号をＵＳＢ制御回路２の端子電圧Ｖｃｃに変換する。
【００１８】
抵抗値Ｒ１の抵抗器４と抵抗値Ｒ２の抵抗器５は、Ｖｂｕｓ信号を分圧するための抵抗器であり、抵抗器４と抵抗器５により分圧された電圧値Ｖｉｎがマイクロコンピュータ６に入力される。マイクロコンピュータ６は装置全体の入出力、記録、操作などの指令や制御を行う。抵抗値Ｒ３のプルアップ抵抗器７はマイクロコンピュータ６に内蔵されており、マイクロコンピュータ６の基準電圧Ｖｄｄにプルアップされている。
【００１９】
ＵＳＢ接続用の入力回路８はマイクロコンピュータ６に内蔵されている。フラッシュメモリで構成された不揮発性メモリ９は音声データを記録する。操作手段１０はキー入力操作などにより音声記録再生装置へ情報を入力する。表示手段１１は音声記録再生装置の記録、操作などの動作状況を表示する。制御手段１２は、中央演算装置、マイクロコンピュータ６のソフトウェアを構成する制御プログラムを格納したＲＯＭ、および作業用のＲＡＭで構成され、不揮発性メモリ９への書き込み動作、不揮発性メモリ９からの読み出し動作、操作手段１０を用いた各種の動作、表示手段１１にＵＳＢケーブルを介して他の機器と接続された時の動作状況や操作状況を表示させるための動作などを制御する。なお、プルアップ抵抗器７は、制御手段１２の制御に基づき、入力回路８の入力側に接続したり接続を解除したりすることができる。
【００２０】
音声圧縮・伸張手段１３は、デジタル化された音声データを圧縮して不揮発性メモリ９に記録し、また不揮発性メモリ９に圧縮記録されているデジタルデータを伸張して出力する。音声圧縮・伸張手段１３への音声入力はマイク１５により行われ、音声圧縮・伸張手段１３からの音声出力はスピーカ１４により行われる。
【００２１】
図２のＵＳＢ非対応の音声記録再生装置においては、図１におけるＵＳＢコネクタ１、ＵＳＢ制御回路２、レギュレータ３、抵抗器４がなく、マイクロコンピュータ６のＶｉｎとグランド間に接続される抵抗器１６は、図１の抵抗値Ｒ２の抵抗器５に比較して抵抗値のきわめて低い値（極端には０オーム）Ｒ４となっている他は図１と同様であり、図１と同一機能を有する部分には同一符号を付している。
【００２２】
以上のように構成された音声記録再生装置について、以下、図３のフローチャートを基にＵＳＢ対応判定方法を説明する。
【００２３】
最初に、音声記録再生装置に電源が投入あるいは再投入されて、ソフトウェアがリセットスタートする。図１においては、ＵＳＢコネクタ１に何も接続しない状態で、図２においては、そのままの状態でソフトウェアがリセットスタートされると、ステップＳ３０１において、ソフトウエアの指令で、マイクロコンピュータ６内の入力回路８の入力端子に内蔵プルアップ抵抗器７が接続され、マイクロコンピュータ６の入力端子の電圧値を検出する。図２の抵抗器１６は、図１の抵抗器５よりきわめて低い抵抗値、たとえば０オームと低くしてあるので、図１と図２ではマイクロコンピュータ６の入力端子の電圧値が異なる。
【００２４】
このとき、制御手段１２において、ＵＳＢ対応・ＵＳＢ非対応の判定が行われる。具体的には、ステップＳ３０２において、マイクロコンピュータ６の入力回路８が入力端子の電圧レベルを検出する。図１のＵＳＢ対応機器の場合には、入力端子電圧Ｖｉｎはプルアップ電圧値Ｖｄｄ（たとえば３Ｖ）、ＵＳＢコネクタ１に供給される電圧値Ｖｂｕｓ（たとえば５Ｖ）、ならびに、プルアップ抵抗器７の抵抗値Ｒ３、抵抗器４の抵抗値Ｒ１および抵抗器５の抵抗値Ｒ２により決定される。各抵抗値の設定によりＶｉｎ端子が約３Ｖになるよう設定しておけばハイを検出して判定がＹｅｓとなり、ステップＳ３０３に進む。一方、図２のＵＳＢ非対応機器の場合には、抵抗器１６の抵抗値Ｒ４がきわめて小に設定してあるため、入力端子Ｖｉｎはほとんど０Ｖとなり、ロウを検出し（即ち判定がＮｏ）、ステップＳ３０４に進む。
【００２５】
次に、ステップＳ３０３とＳ３０４では、制御手段１２により、音声記録再生装置自身がＵＳＢ対応機器であるかＵＳＢ非対応機器であるかを自動判定し、ステップＳ３０５に進む。ステップＳ３０５では、制御手段１２によってＵＳＢ対応判定を終えた内蔵プルアップ抵抗器７と入力回路８の接続が外され、ＵＳＢ判定処理が終了する。
【００２６】
図３に示したＵＳＢ判定処理の終了後、図４に示した工程検査モードのメイン処理がスタートする。ステップＳ４０１では、工程検査モードスタート時の初期表示が行われ、音声記録再生装置の表示手段１１に機種名等が表示される。ステップ４０２では、操作手段１０により、あらかじめ決めた検査工程の手順により、冶具を用いて順次キー操作が行われるものとし、操作手段１０により音声記録再生装置にキー入力がされたかを判定し、キー入力が検出された場合（すなわち判定がＹｅｓの場合）には、ステップＳ４０３に進み、キー入力に応じた動作遷移処理（録音や再生等）を行い、引き続いて表示遷移処理を行い、表示手段１１により装置の状態が確認できる。
【００２７】
ステップＳ４０４の表示遷移処理が終了した後、ステップＳ４０５で全ての検査が終了したかどうか判定し、Ｎｏの場合はステップＳ４０２へ戻り、再びキー入力の判定を継続する。
【００２８】
ステップＳ４０５で全ての検査が終了したと判定した場合、引き続きステップＳ４０６において図３のステップＳ３０４での判定結果に基づいて分岐する。ＵＳＢ非対応機器と判定された場合、メモリーフォーマット処理を行い、検査工程モードを終了する。なお、メモリーフォーマット処理においては、検査工程で作成され、不揮発性メモリ９に記録されたファイルやデータを抹消して初期状態に戻す。
【００２９】
一方、図３のステップＳ３０３でＵＳＢ対応機器と判定された場合、ステップＳ４０８で、ステップＳ４０７と同様にメモリーフォーマット処理を行った後、ステップＳ４０９において、視覚的手段または聴覚的手段を用いて、作業者にその音声記録再生装置がＵＳＢ対応機器であることを通知する。通知の方法としては、表示手段１１にＵＳＢ対応機器であることを表示するとか、ＬＥＤ等のランプを点滅する、スピーカ１４から断続的な音声を出力する等の方法がある。
【００３０】
作業者は、上記の通知によりＵＳＢ対応機器であることを認識した場合、音声記録再生装置をＵＳＢケーブルを介してホストに接続し、引き続いてＵＳＢ接続検査処理を行う。ＵＳＢ接続検査処理ではホストとの間でＵＳＢ規格に準拠したデータの送受信を行い、予定した処理が可能かどうか等を検査する。
【００３１】
このように、ＵＳＢ対応機器であるかＵＳＢ非対応機器であるかによって、図４の工程検査モードの最終工程が異なってくるが、図３のＵＳＢ判定処理で、音声記録再生装置自身がＵＳＢ対応機器であるかＵＳＢ非対応機器であるかを認識しているため、ソフトウエアが、それぞれの機器に対応した形で、自動的に工程検査モードのメイン処理を終了させることが可能となる。
【００３２】
なお、図４では、工程検査においてキー入力に従って検査動作が遷移するように説明したが、キー入力に代えて制御手段１２のソフトウエアが自動的に次の動作を指示して、逐次検査を進めるようにすることも可能である。
【００３３】
以上のように本実施の形態においては、ソフトウェアのリセットスタート時に、入力回路へプルアップ抵抗器を接続し、前記入力回路の入力端子の電圧値を読むことで、装置自身がＵＳＢ対応機器であるかＵＳＢ非対応機器であるかを自動的に判定することができ、その判定結果を利用して工程検査モードにおいて機器に対応した処理を的確に行うことができるため、ＵＳＢ対応機器とＵＳＢ非対応機器が混在した生産現場における作業効率を改善することが可能となる。
【産業上の利用可能性】
【００３４】
本発明の音声記録再生装置は、マイクロコンピュータに内蔵されている入力回路にプルアップ抵抗器を接続した時の入力端子電圧を監視することにより、装置自身がＵＳＢ対応機器であるか、あるいはＵＳＢ非対応機器であるかを自動的に判定することができ、製造工程において、前記判定結果に基づいて工程検査モードの内容を変えることができるため、生産性の向上や生産コストの削減に寄与するものである。
【図面の簡単な説明】
【００３５】
【図１】本発明の実施の形態におけるＵＳＢ対応の音声記録再生装置の構成を示すブロック図
【図２】同実施の形態におけるＵＳＢ非対応の音声記録再生装置の構成を示すブロック図
【図３】同実施の形態におけるＵＳＢ対応判定の処理を示すフローチャート
【図４】音声記録再生装置の工程検査モードにおけるメイン処理のフローチャート
【符号の説明】
【００３６】
１  ＵＳＢコネクタ
２  ＵＳＢ制御回路
３  レギュレータ
４、５、１６  抵抗器
６  マイクロコンピュータ
７  プルアップ抵抗器
８  入力回路
９  不揮発性メモリ
１０  操作手段
１１  表示手段
１２  制御手段
１３  音声圧縮・伸張手段
１４  スピーカ
１５  マイク
【図１】
2007241801.tif 000003
【図２】
2007241801.tif 000004
【図３】
2007241801.tif 000005
【図４】
2007241801.tif 000006